(57)【要約】【課題】ＷＢ調整の精度を向上させ、適正な露出の画像を得る。【解決手段】本発明の撮像装置は、事前撮影時には、交換レンズに固有の事前撮影絞り値についてホワイトバランスゲインを算出し、上記事前撮影絞り値、本撮影絞り値、ホワイトバランスゲインを対応付けてＲＯＭ６に記憶し、本撮影時には、本撮影絞り値に対応するホワイトバランスゲインをＲＯＭ６より読み出し、画像信号処理回路４により当該ホワイトバランスゲインにより上記ホワイトバランス調整を行うように制御するマイクロコンピュータ５を有している。【選択図】      図１
2005210627.tif 000002
【特許請求の範囲】
【請求項１】
交換レンズを通過した被写体像を撮像して画像信号を出力する撮像手段と、
上記撮像手段から出力された画像信号についてホワイトバランスゲインに基づきホワイトバランス調整を行う画像信号処理手段と、
記憶手段と、
事前撮影時には、上記交換レンズに固有の事前撮影絞り値についてホワイトバランスゲインを算出し、上記事前撮影絞り値、本撮影絞り値、ホワイトバランスゲインを対応付けて上記記憶手段に記憶し、
本撮影時には、本撮影絞り値に対応するホワイトバランスゲインを上記記憶手段より読み出し、上記画像信号処理手段により当該ホワイトバランスゲインにより上記ホワイトバランス調整を行うように制御する制御手段と、
を具備することを特徴とするカメラ。
【請求項２】
交換レンズと、
上記交換レンズを通過した被写体像を撮像して画像信号を出力する撮像手段と、
上記撮像手段から出力された画像信号についてホワイトバランスゲインに基づきホワイトバランス調整を行う画像信号処理手段と、
記憶手段と、
事前撮影時には、上記交換レンズから本撮影絞り値及びそれに対応する事前撮影絞り値に係る情報を受信し、当該事前撮影絞り値のそれぞれについてホワイトバランスゲインを算出し、上記本撮影絞り値、事前撮影絞り値と対応付けて上記記憶手段に記憶し、
本撮影時には、本撮影絞り値に対応するホワイトバランスゲインを上記記憶手段より読み出し、上記画像信号処理手段により当該ホワイトバランスゲインにより上記ホワイトバランス調整を行うように制御する制御手段と、
を具備することを特徴とするカメラ。
【請求項３】
上記本撮影時に設定可能な絞り値の絞り段数に比べて上記事前撮影で複数回撮像するときに設定する絞り段数は少なく設定されていることを特徴とする請求項１又は２のいずれかに記載のカメラ。
【請求項４】
上記記憶手段は、上記カメラ内に設けられた不揮発性メモリからなることを特徴とする請求項１又は２のいずれかに記載のカメラ。
【請求項５】
複数のホワイトバランス調整モードを設定するホワイトバランスモード設定手段を更に有し、上記制御手段は、事前撮影におけるホワイトバランスゲインを用いた補正を行うモードが設定された場合に、上記記憶手段より読み出されたホワイトバランスゲインによりホワイトバランス調整を行うように制御することを特徴とする請求項１又は２のいずれかに記載のカメラ。
【請求項６】
上記制御手段は、上記事前撮影時には、設定された複数の絞り値毎に撮影を行い、各絞り値に対応するホワイトバランスゲインを算出して上記記憶手段に記憶するよう制御することを特徴とする請求項１又は２のいずれかに記載のカメラ。
【請求項７】
事前撮影時には、交換レンズに固有の事前撮影絞り値についてホワイトバランスゲインを算出し、上記事前撮影絞り値、本撮影絞り値、ホワイトバランスゲインを対応付けて記憶手段に記憶し、
本撮影時には、本撮影絞り値に対応するホワイトバランスゲインを上記記憶手段より読み出し、画像信号処理手段により当該ホワイトバランスゲインにより上記ホワイトバランス調整を行うように制御することを特徴とするカメラの制御方法。
【請求項８】
事前撮影時には、交換レンズから本撮影絞り値及びそれに対応する事前撮影絞り値に係る情報を受信し、当該事前撮影絞り値のそれぞれについてホワイトバランスゲインを算出し、上記本撮影絞り値、事前撮影絞り値と対応付けて記憶手段に記憶し、
本撮影時には、本撮影絞り値に対応するホワイトバランスゲインを上記記憶手段より読み出し、画像信号処理手段により当該ホワイトバランスゲインにより上記ホワイトバランス調整を行うように制御することを特徴とするカメラの制御方法。
【請求項９】
上記本撮影絞り値の段数に比べて事前撮影絞り値の段数は少なく設定されていることを特徴とする請求項７又は８のいずれかに記載のカメラの制御方法。
【請求項１０】
交換レンズを通過した被写体像を撮像して画像信号を出力する撮像手段と、
本撮影に先立つ事前撮影として白基準となる被写体を上記装着された交換レンズ固有の複数の絞り値毎に撮像して得られた画像信号より、各絞り値に応じたホワイトバランスゲインを算出する算出手段と、
本撮影時に上記撮像手段から出力された画像信号に対してホワイトバランス調整を行うために、上記本撮影時の絞り値と上記算出されたホワイトバランスゲインを関連付けて記憶する記憶手段と、
を具備することを特徴とするカメラ。
【請求項１１】
上記装着された交換レンズから、上記本撮影時に該交換レンズの設定可能な絞り値に係る情報と、上記交換レンズ固有の絞り値として上記事前撮影でホワイトバランスゲインを算出するための画像信号を得るときに設定する複数の絞り値に係る情報を受信する受信手段を更に有し、上記記憶手段は、上記受信した各絞り値に係る情報を上記記憶手段に記憶することを特徴とする請求項１０に記載のカメラ。
【発明の詳細な説明】
【技術分野】
【０００１】
本発明は、撮像素子を備えたカメラ及びカメラの制御方法に関する。
【背景技術】
【０００２】
従来、例えば図９に示されるように、撮像素子の多くは、一画素あたりの集光率を高める為に、各画素毎にマイクロレンズ１００やカラーフィルタ１０１等を備えているが、当該マイクロレンズ１００の屈折率は、入射する光の波長に依存する（波長依存性）。
【０００３】
特に、この図９に示すように、光がマイクロレンズ１００の斜め方向から入射した場合には、上記波長依存性が顕著になり、受光部１０２に集光されない波長のものも生じる（斜入射特性）。このため、撮影レンズの絞り等で撮像素子に入射する光の入射角が変化するとホワイトバランス調整不良の原因となる。
【０００４】
ここで、特許文献１では、予め格納されているホワイトバランス微調整係数を交換レンズの焦点距離及び絞り値に基づいて読み出し、当該係数に基づいてホワイトバランス調整値を補正する技術が開示されている。
【特許文献１】特開２０００−２４４９３０号公報
【発明の開示】
【発明が解決しようとする課題】
【０００５】
一般に、絞りを開放したときには、周辺から入射する光の蹴られ等といった種々の要素が起因して、交換レンズにより撮像素子の受光面に入射する光量分布が変わってくる。即ち、撮像素子からすれば、交換レンズにより入射する光の分光特性が変わってしまい、特許文献１に記載の技術のように、単に一の交換レンズの絞り値に基づいてホワイトバランス微調整を行うのでは、光学特性により異なる影響を十分に除くことはできない。
【０００６】
本発明の目的とするところは、任意の交換レンズとの組み合わせに対応可能であり、ホワイトバランス調整の精度を向上させ、適正な露出の画像を得ることにある。
【課題を解決するための手段】
【０００７】
上記目的を達成するために、本発明の第１の態様では、交換レンズを通過した被写体像を撮像して画像信号を出力する撮像手段と、上記撮像手段から出力された画像信号についてホワイトバランスゲインに基づきホワイトバランス調整を行う画像信号処理手段と、記憶手段と、事前撮影時には、上記交換レンズに固有の事前撮影絞り値についてホワイトバランスゲインを算出し、上記事前撮影絞り値、本撮影絞り値、ホワイトバランスゲインを対応付けて上記記憶手段に記憶し、本撮影時には、本撮影絞り値に対応するホワイトバランスゲインを上記記憶手段より読み出し、上記画像信号処理手段により当該ホワイトバランスゲインにより上記ホワイトバランス調整を行うように制御する制御手段とを具備することを特徴とするカメラが提供される。
【０００８】
本発明の第２の態様では、交換レンズと、上記交換レンズを通過した被写体像を撮像して画像信号を出力する撮像手段と、上記撮像手段から出力された画像信号についてホワイトバランスゲインに基づきホワイトバランス調整を行う画像信号処理手段と、記憶手段と、  事前撮影時には、上記交換レンズから本撮影絞り値及びそれに対応する事前撮影絞り値に係る情報を受信し、当該事前撮影絞り値のそれぞれについてホワイトバランスゲインを算出し、上記本撮影絞り値、事前撮影絞り値と対応付けて上記記憶手段に記憶し、本撮影時には、本撮影絞り値に対応するホワイトバランスゲインを上記記憶手段より読み出し、上記画像信号処理手段により当該ホワイトバランスゲインにより上記ホワイトバランス調整を行うように制御する制御手段とを具備することを特徴とするカメラが提供される。
【０００９】
本発明の第３の態様では、上記第１又は第２の態様において、上記本撮影時に設定可能な絞り値の絞り段数に比べて上記事前撮影で複数回撮像するときに設定する絞り段数は少なく設定されていることを特徴とするカメラが提供される。
【００１０】
本発明の第４の態様では、上記第１又は第２の態様において、上記記憶手段は、上記カメラ内に設けられた不揮発性メモリからなることを特徴とするカメラが提供される。
【００１１】
本発明の第５の態様では、上記第１又は第２の態様において、複数のホワイトバランス調整モードを設定するホワイトバランスモード設定手段を更に有し、上記制御手段は、事前撮影におけるホワイトバランスゲインを用いた補正を行うモードが設定された場合に、上記記憶手段より読み出されたホワイトバランスゲインによりホワイトバランス調整を行うように制御することを特徴とするカメラが提供される。
【００１２】
本発明の第６の態様では、上記第１又は第２の態様において、上記制御手段は、上記事前撮影時には、設定された複数の絞り値毎に撮影を行い、各絞り値に対応するホワイトバランスゲインを算出して上記記憶手段に記憶するよう制御することを特徴とするカメラが提供される。
【００１３】
本発明の第７の態様では、事前撮影時には、交換レンズに固有の事前撮影絞り値についてホワイトバランスゲインを算出し、上記事前撮影絞り値、本撮影絞り値、ホワイトバランスゲインを対応付けて記憶手段に記憶し、本撮影時には、本撮影絞り値に対応するホワイトバランスゲインを上記記憶手段より読み出し、画像信号処理手段により当該ホワイトバランスゲインにより上記ホワイトバランス調整を行うように制御することを特徴とするカメラの制御方法が提供される。
【００１４】
本発明の第８の態様では、事前撮影時には、交換レンズから本撮影絞り値及びそれに対応する事前撮影絞り値に係る情報を受信し、当該事前撮影絞り値のそれぞれについてホワイトバランスゲインを算出し、上記本撮影絞り値、事前撮影絞り値と対応付けて記憶手段に記憶し、本撮影時には、本撮影絞り値に対応するホワイトバランスゲインを上記記憶手段より読み出し、画像信号処理手段により当該ホワイトバランスゲインにより上記ホワイトバランス調整を行うように制御することを特徴とするカメラの制御方法が提供される。
【００１５】
本発明の第９の態様では、上記第７又は第８の態様において、上記本撮影絞り値の段数に比べて事前撮影絞り値の段数は少なく設定されていることを特徴とするカメラの制御方法が提供される。
【００１６】
本発明の第１０の態様では、交換レンズを通過した被写体像を撮像して画像信号を出力する撮像手段と、本撮影に先立つ事前撮影として白基準となる被写体を上記装着された交換レンズ固有の複数の絞り値毎に撮像して得られた画像信号より、各絞り値に応じたホワイトバランスゲインを算出する算出手段と、本撮影時に上記撮像手段から出力された画像信号に対してホワイトバランス調整を行うために、上記本撮影時の絞り値と上記算出されたホワイトバランスゲインを関連付けて記憶する記憶手段とを具備することを特徴とするカメラが提供される。
【００１７】
本発明の第１１の態様では、上記第１０の態様において、上記装着された交換レンズから、上記本撮影時に該交換レンズの設定可能な絞り値に係る情報と、上記交換レンズ固有の絞り値として上記事前撮影でホワイトバランスゲインを算出するための画像信号を得るときに設定する複数の絞り値に係る情報を受信する受信手段を更に有し、上記記憶手段は、上記受信した各絞り値に係る情報を上記記憶手段に記憶することを特徴とするカメラが提供される。
【発明の効果】
【００１８】
本発明によれば、任意の交換レンズとの組み合わせにも対応可能であり、ホワイトバランス調整の精度を向上させ、適正な露出の画像を得るカメラ及びカメラの制御方法を提供することができる。
【発明を実施するための最良の形態】
【００１９】
先ず、図１には、本発明の一実施の形態に係る撮像装置の構成を示し説明する。
【００２０】
ここでは、この撮影装置の一例として、カメラ本体に交換可能な撮影レンズ（以下、交換レンズと称する）が組み合わされたカメラシステムを例に挙げて説明する。
【００２１】
この図１に示されるように、本発明の一実施の形態に係る撮像装置としてのカメラシステムは、レンズモジュール１、撮像モジュール２、ＲＡＭ３、画像信号処理回路４、マイクロコンピュータ（以下、マイコンと称する）５、ＲＯＭ６、ＥＥＰＲＯＭ７、モード設定ＳＷ８、記録媒体９、通信部１０等を有している。
【００２２】
レンズモジュール１は交換レンズ側に配設されており、他の構成要素は当該交換レンズを装着可能なカメラ本体側に配設されている。
【００２３】
交換レンズ側のレンズモジュール１には、焦点調整レンズやズームレンズ、絞り等を含む光学系１ａや、レンズモジュールの全体の制御を司るマイコン１ｂ、各種データ等が記憶されたＲＯＭ１ｃ、通信部１ｄ等が設けられている。
【００２４】
そして、カメラ本体側の撮像モジュール２には、例えば、色フィルタとしてＲ（赤）、Ｇｒ，Ｇｂ（緑）、Ｂ（青）を図８のように配列したＣＣＤ等の撮像素子２ａやインターフェース（以下、Ｉ／Ｆと称する）回路２ｂ、各種データを一時記憶するためのＲＯＭ２ｃが設けられている。撮像モジュール２と画像信号処理回路４の間に介在するＲＡＭ３は、Ｉ／Ｆ回路２ｂより送出された画像信号を記憶するためのものである。
【００２５】
画像信号処理回路４は、より詳細には、デジタルゲイン回路４ａ、同時化回路４ｂ、色変換回路４ｃ、ガンマ変換回路４ｄを有している。デジタルゲイン回路４ａは、ＲＡＭ３に一時記憶されている画像信号の色毎のＲ信号、Ｇｒ信号、Ｇｂ信号、Ｂ信号を、マイコン５が詳細は後述する手法で算出したデジタルゲインで増幅することで、レベル調整されたＲ’信号、Ｇｒ’信号、Ｇｂ’信号、Ｂ’信号を出力するためのものである。そして、同時化回路４ｂは、不図示のサンプルホールド回路等を含み、Ｒ’信号、Ｇｒ’信号、Ｇｂ’信号、Ｂ’信号をそれぞれ補間してＲ，Ｇ，Ｂの各信号を３板化したデータを得る、所謂同時化処理を行い、Ｒ信号、Ｇ信号、Ｂ信号を出力するためのものである。色変換回路４ｃは、これらＲ信号、Ｇ信号、Ｂ信号を色変換し、Ｒ’信号、Ｇ’信号、Ｂ’信号を出力するためのものである。そして、ガンマ変換回路４ｄは、これらＲ’信号、Ｇ’信号、Ｂ’信号をγ変換し、その結果を記録媒体９に記録するためのものである。
【００２６】
以上のほか、ＲＯＭ６は、各種データを記憶するためのものである。そして、ＥＥＰＲＯＭ７は、交換レンズのレンズモジュール１から送られた各種データを記憶するためのものである。撮影モード、ＷＢモード設定ＳＷ８は、各種モードを切り換えるためのものである。この実施の形態では、ＷＢモードは、マニュアルＷＢ（以下、ＭＷＢと称する）モード、オートＷＢ（以下、ＡＷＢと称する）モード、ワンタッチＷＢ（以下、ＯＴＷＢと称する）モードのいずれかに切り換え可能となっている。
【００２７】
尚、請求項に記載の撮像手段とは撮像素子２ａ或いは当該撮像素子２ａを含む撮像モジュール２等に相当し、画像信号処理手段とはホワイトバランス調整を行うデジタルゲイン回路４ａを含む画像信号処理回路４等に相当し、記憶手段とはＲＯＭ１ｃ，６やＥＥＰＲＯＭ７等に相当する。請求項に記載のホワイトバランスモード設定手段とは、撮影モード、ＷＢモード設定ＳＷ８等に相当する。但し、これらの関係には限定されないことは勿論である。
【００２８】
このような構成において、レンズモジュール１の光学系１ａの撮影レンズ、ズームレンズ、絞りを介して入射した被写体像は、撮像モジュール２の撮像素子２ａによって撮像され、画像信号がＩ／Ｆ回路２ｂを介してＲＡＭ３に出力され記憶される。
【００２９】
そして、事前撮影時には、マイコン５は、上記交換レンズに固有の事前撮影絞り値についてホワイトバランスゲインを算出し、上記事前撮影絞り値、本撮影絞り値、ホワイトバランスゲインを対応付けてＥＥＰＲＯＭ７に記憶する。一方、本撮影時には、本撮影絞り値に対応するホワイトバランスゲインをＥＥＰＲＯＭ７より読み出し、画像信号処理回路４により当該ホワイトバランスゲインにより上記ホワイトバランス調整を行うように制御する。本撮影絞り値及びそれに対応する事前撮影絞り値に係る情報は、交換レンズのレンズモジュール１のＲＯＭ１ｃに予め記憶されているので、マイコン５は、通信部１ｄ，１０を介して当該情報を受信するようにしてもよい。尚、この実施の形態では、本撮影絞り値の段数に比べて事前撮影絞り値の段数は少なく設定されている。
【００３０】
マイコン５は、事前撮影時には、設定された複数の絞り値毎に撮影を行い、各絞り値に対応するホワイトバランスゲインを算出してＥＥＰＲＯＭ７に記憶するよう制御する。
【００３１】
尚、事前撮影時とは、実際の被写体像の撮影に先立って行われる所定のデータを得るための撮影をいい、本撮影とは実際の所望とする被写体像の撮影をいう。
【００３２】
ここで、図２には撮像素子の分光感度分布を示し説明する。
【００３３】
この図２に示されるように、撮像素子２ａは分光感度特性を有している。Ｒ，Ｇ，Ｂの各光成分の特性は図２に示されるようになるが、色に対する人間の目の感度はＧの光成分に対して最も強く、Ｇの光成分が最も明るく見えることになる。
【００３４】
図３には撮像素子の受光感度の入射角依存特性を示し説明する。
【００３５】
この図３に示されるように、撮像素子２ａは入射角依存性を有しており、光の入射角によって相対感度がばらつく。即ち、光の入射角が大きくなるにつれて、Ｒ，Ｇ，Ｂの各光成分に係る相対感度の落ち込には、ばらつきが生じる。また、特にＧの光成分に係るＲとＢの相対感度の落ち込み度合は大きくなる。さらに、マイクロレンズの設計や撮像素子２ａの製造時のばらつき等により撮像素子毎に当該ばらつきの度合も相違してくる。
【００３６】
図４は撮像素子の出力の絞りＦ値依存特性を示し説明する。
【００３７】
この図４に示されるように、画素毎に配設されるマイクロレンズが同じ設計の下で制作されたものであっても、Ｆ値の逆数と相対感度の関係においては、１／Ｆ値が大きくなるにつれてＲ，Ｇ，Ｂの各光成分に係る相対感度の落ち込みが生じる。そして、この相対感度の落ち込みの度合は、各光成分により大きく相違してくる。
【００３８】
以上の特質に鑑みて、本発明の一実施の形態に係る撮像装置では、後述する図５のホワイトバランス補正係数対応表を参照してデジタルゲインを算出し、当該デジタルゲインで色毎の信号を増幅する。以下、これを詳述する。
【００３９】
図５はホワイトバランス補正係数対応表を示す図である。
【００４０】
この図５に示されるように、ホワイトバランス補正係数対応表は、事前撮影時の絞り値と当該絞り値で撮影し、それぞれについて計算して得られたＷＢゲイン＿Ｒ、ＷＢゲイン＿Ｂを当該事前撮影時の絞り値、更には当該事前撮影時の絞り値に対応する本撮影時の絞り値と対応付けたものである。この事前撮影時の絞り値と本撮影時の絞り値との対応関係に係る情報は、レンズモジュール１のＲＯＭ１ｃに記憶されており、マイコン１ｂよりマイコン５に適宜送信され、ＥＥＰＲＯＭ７等に記憶される。この例では、事前撮影時の絞り値をＦ２．０，Ｆ５．６，Ｆ１６，Ｆ２２の４つとしているが、これらは交換レンズの特質により定まるものであり、これには限定されない。
【００４１】
以下、図６のフローチャートを参照して、本発明の一実施の形態に係るカメラの事前撮影時の動作を詳細に説明する。ここでは、図５を適宜参照する。
【００４２】
不図示のレリーズスイッチがオンされると、この本撮影の動作に入り、交換レンズのレンズモジュール１内のマイコン１ｂがＲＯＭ１ｃより読み出した事前撮影用絞り値の情報を通信部１ｄ，１０を介して受信し、取得する（ステップＳ１）。この事前撮影用絞り値の情報は、ＥＥＰＲＯＭ７に記憶されることになる。上記ステップＳ１では、事前撮影用絞り値と本撮影用の絞り値との対応関係に係る情報を併せて取得する。
【００４３】
次いで、マイコン５は、所定の測光処理を行い（ステップＳ２）、露出制御（絞り値優先制御）を行い（ステップＳ３）、撮像モジュール２に対する所定の撮像制御を行う（ステップＳ４）。そして、撮像素子２ａにより撮像され得られた撮像データ（画像信号）をＲＡＭ３に格納する（ステップＳ５）。
【００４４】
これに続いて、マイコン５は、上記撮影データに基づいてＷＢゲインを検出し（ステップＳ６）、当該ＷＢゲインを事前撮影時の絞り値、更には当該事前撮影時の絞り値に対応する本撮影時の絞り値と関連付けてテーブル化してＥＥＰＲＯＭ７に格納する（ステップＳ７）。マイコン５は、このステップＳ３乃至Ｓ８の動作を絞り値を変更しつつ繰り返し（ステップＳ９）、レンズモジュール１側から受け取った事前撮影時の絞り値の全てについて処理を終了すると、この事前撮影時の動作を終了することになる。
【００４５】
以上の一連の処理により、先に図５に示したホワイトバランス補正係数対応表がテーブルとして生成され、ＥＥＰＲＯＭ７に格納されることになる。
【００４６】
次に、図７のフローチャートを参照して、本発明の一実施の形態に係るカメラの本撮影時の動作を詳細に説明する。ここでも、図５を適宜参照する。
【００４７】
不図示のレリーズスイッチがオンされると、この本撮影の動作に入り、マイコン５は、所定の測光処理を行い（ステップＳ１１）、露出制御を行い（ステップＳ１２）、撮像モジュール２に対する撮像制御を行う（ステップＳ１３）。そして、撮像素子２ａにより撮像され得られた撮像データ（画像信号）をＲＡＭ３に格納する（ステップＳ１４）。
【００４８】
続いて、マイコン５は、撮影モード、ＷＢモード設定ＳＷ８の操作によりＷＢモードがどのように設定されているかを判断する（ステップＳ１５）。即ち、ＭＷＢモードに設定されている場合には、マイコン５は、ＥＥＰＲＯＭ７よりＷＢゲインを読み出す（ステップＳ１６）。一方、ＡＷＢモードに設定されている場合には、マイコン５は、上記撮影データに基づいてＷＢゲインを検出し判断する（ステップＳ１７）。ＯＴＷＢモードに設定されている場合には、マイコン５は、図６の動作により生成されＥＥＰＲＯＭ７に格納されている図５のテーブル（ホワイトバランス補正係数対応表）を参照して、本撮影時の絞り値に基づいて対応するＷＢゲイン＿Ｒ、ＷＢゲイン＿Ｂを読み出す（ステップＳ１８）。
【００４９】
こうして、ステップＳ１６乃至１８のいずれかのステップで読み出されたＷＢゲインに基づいて画像信号の色毎の信号を増幅し（ステップＳ１９）、同時化回路４ｂによる同時化処理、色変換回路４ｃによる色変換、ガンマ変換回路４ｄによるγ変換を行い（ステップＳ２０）、その結果を記録媒体９に記録する（ステップＳ２１）。
【００５０】
即ち、デジタルゲイン回路４ａにより、
Ｒ’＝Ｒ×ＷＢゲイン＿Ｒ
Ｂ’＝Ｂ×ＷＢゲイン＿Ｂ
を算出する。図５の場合を例にとると、本撮影時の絞り値がＦ２．８の場合、事前撮影の絞り値Ｆ２．０で得られたＷＢゲイン＿Ｒ＝１．８０、ＷＢゲイン＿Ｂ＝１．４０に基づいて上記計算が行われることにより、適正なホワイトバランス調整がされたデータが得られる。
【００５１】
以上説明したように、本発明の一実施の形態によれば、ホワイトバランス調整の精度を向上させ、所謂色かぶり現象を抑制し、適正な露出の画像を得ることにある。また、ホワイトバランス調整に係るデジタルゲインの算出にあたり、各種の撮影モードに対応した好適な処理を行うことができる。更には、任意の交換レンズに対応したホワイトバランス調整を行うことが可能である。
【００５２】
また、絞りの段数に併せて、事前撮影時に全ての絞り値に対応するホワイトバランスゲインを算出するようにしてもよい。なお、この場合、交換レンズの種類によって必要な絞り値や設定数が異なることとなる。この点、本発明の実施の形態のように行うことで短時間に効率よくホワイトバランスゲインを算出することが可能となる。
【００５３】
以上、本発明の一実施の形態について説明したが、本発明はこれらに限定されることなく、その趣旨を逸脱しない範囲で種々の改良・変更が可能である。例えば、上記実施の形態では、事前撮影時の絞り値と本撮影時の絞り値との対応関係に係るレンズ固有の情報はレンズが保持していることを前提に説明したが、交換レンズの対応機種が定まっているような場合には、カメラ本体側が保持するようにしてもよい。
【図面の簡単な説明】
【００５４】
【図１】本発明の一実施の形態に係るカメラの構成図。
【図２】撮像素子の分光感度分布を示す図。
【図３】撮像素子の受光感度の入射角依存特性を示す図。
【図４】撮像素子の出力のＦ値依存特性を示す図。
【図５】ホワイトバランス補正係数対応表を示す図。
【図６】一実施の形態に係るカメラの事前撮影時の動作を示すフローチャート。
【図７】一実施の形態に係るカメラの本撮影時の動作を示すフローチャート。
【図８】各画素のフィルタ配列の例を示す図。
【図９】従来技術に係る撮像素子の波長依存性、斜入射特性についての説明図。
【符号の説明】
【００５５】
１・・・レンズモジュール、１ａ・・・光学系、１ｂ・・・マイクロコンピュータ、１ｃ・・・ＲＯＭ、２・・・撮像モジュール、２ａ・・・撮像素子、２ｂ・・・Ｉ／Ｆ回路、２ｃ・・・ＲＯＭ、３・・・ＲＡＭ、４・・・画像信号処理回路、４ａ・・・デジタルゲイン回路、４ｂ・・・同時化回路、４ｃ・・・色変換回路、４ｄ・・・ガンマ変換回路、５・・・マイクロコンピュータ、６・・・ＲＯＭ、７・・・ＥＥＰＲＯＭ、８・・・モード設定ＳＷ、９・・・記録媒体。
【図１】
2005210627.tif 000003
【図２】
2005210627.tif 000004
【図３】
2005210627.tif 000005
【図４】
2005210627.tif 000006
【図５】
2005210627.tif 000007
【図６】
2005210627.tif 000008
【図７】
2005210627.tif 000009
【図８】
2005210627.tif 000010
【図９】
2005210627.tif 000011